【事件の表示】
　特許第３２１６６９０号「ＣＤ付き中綴本の製造方法」の請求項１ないし９に係る特許に対する特許異議の申立てについて、次のとおり決定する。
【結　論】
　訂正を認める。
　特許第３２１６６９０号の請求項１ないし８に係る特許を取り消す。
【理　由】
１．手続の経緯
　特許第３２１６６９０号の請求項１ないし９に係る発明は、平成７年４月１７日に特許出願され、平成１３年８月３日にその特許権の設定登録がなされ、その後、大日本印刷株式会社より特許異議の申立てがなされ、取消しの理由が通知され、その指定期間内である平成１４年１０月２５日に訂正請求がなされたものである。
　
２．訂正の適否
2-1.訂正の内容
　　訂正事項Ａ
　特許請求の範囲の請求項１の
「複数の折り丁が表紙と共に背で綴じられて本文が構成され、ＣＤが収納されたＣＤ付き中綴本の製造方法であって、
　ＣＤが収納された扁平な収納体を設け、
　前記本文を構成する紙片に前記収納体が貼着される場合に、前記紙片に貼着される収納体の本の背寄りに位置する部分と、本の背との間の寸法が２０ｍｍ以上に設定されるように、前記ＣＤが収納された扁平な収納体を、折り畳まれた段階の折り丁の紙片に予め貼着しておき、
　この折り丁を他の折り丁、表紙と共に中綴本の製本ラインで製本するようにした、
　ことを特徴とするＣＤ付き中綴本の製造方法。」を、　
「複数の折り丁が表紙と共に背で綴じられて本文が構成され、ＣＤが収納されたＣＤ付き中綴本の製造方法であって、
　不織布と共にＣＤが収納された扁平な袋体を設け、
　前記本文を構成する紙片に前記袋体が貼着される場合に、前記紙片に貼着される袋体の本の背寄りに位置する部分と、本の背との間の寸法が２０ｍｍ以上に設定されるように、前記不織布と共にＣＤが収納された扁平な袋体を、折り畳まれた段階の折り丁の紙片に予め貼着しておき、
　この折り丁を他の折り丁、表紙と共に、丁合機、中綴機、三方断裁機を含む中綴本の製本ラインで製本するようにした、
　ことを特徴とするＣＤ付き中綴本の製造方法。」　と訂正する。
　　訂正事項Ｂ
　特許請求の範囲の請求項２の
「前記本文を構成する紙片に前記収納体が貼着される場合に、前記紙片に貼着される収納体の本の小口寄りに位置する部分と、本の小口との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」を、
「前記本文を構成する紙片に前記袋体が貼着される場合に、前記紙片に貼着される袋体の本の小口寄りに位置する部分と、本の小口との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。」と訂正する。
　　訂正事項Ｃ
　特許請求の範囲の請求項３の
「前記本文を構成する紙片に前記収納体が貼着される場合に、前記紙片に貼着される収納体の本の天寄りに位置する部分と、本の天との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」　を、　
「前記本文を構成する紙片に前記袋体が貼着される場合に、前記紙片に貼着される袋体の本の天寄りに位置する部分と、本の天との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。」と訂正する。
　　訂正事項Ｄ
　特許請求の範囲の請求項４の
「前記本文を構成する紙片に前記収納体が貼着される場合に、前記紙片に貼着される収納体の本の地寄りに位置する部分と、本の地との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」を、
「前記本文を構成する紙片に前記袋体が貼着される場合に、前記紙片に貼着される袋体の本の地寄りに位置する部分と、本の地との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。」と訂正する。
　　訂正事項Ｅ
　特許請求の範囲の請求項５の
「前記収納体は、折り畳まれた段階の折り丁の最も外側に位置する紙片に貼着されることを特徴とする請求項１，２，３または４記載のＣＤ付き中綴本の製造方法。」を、
「前記袋体は、折り畳まれた段階の折り丁の最も外側に位置する紙片に貼着されることを特徴とする請求項１，２，３または４記載のＣＤ付き中綴本の製造方法。」と訂正する。
　　訂正事項Ｆ
　特許請求の範囲の請求項６の
「前記収納体が貼着される折り丁の紙片は、表紙に近い箇所に位置する紙片であることを特徴とする請求項１，２，３，４または５記載のＣＤ付き中綴本の製造方法。」を、
「前記袋体が貼着される折り丁の紙片は、表紙に近い箇所に位置する紙片であることを特徴とする請求項１，２，３，４または５記載のＣＤ付き中綴本の製造方法。」と訂正する。
　　訂正事項Ｇ
　特許請求の範囲の請求項７の
「前記収納体が貼着される折り丁の紙片は、剛性の強い紙により構成されていることを特徴とする請求項１，２，３，４，５または６記載のＣＤ付き中綴本の製造方法。」を、
「前記袋体が貼着される折り丁の紙片は、剛性の強い紙により構成されていることを特徴とする請求項１，２，３，４，５または６記載のＣＤ付き中綴本の製造方法。」と訂正する。
　　訂正事項Ｈ
　特許請求の範囲の請求項９を削除する。
　　訂正事項Ｉ
　明細書の段落番号【０００４】全文を、
「【課題を解決するための手段】
　前記目的を達成するため本発明は、複数の折り丁が表紙と共に背で綴じられて本文が構成され、ＣＤが収納されたＣＤ付き中綴本の製造方法であって、不織布と共にＣＤが収納された扁平な袋体を設け、前記本文を構成する紙片に前記袋体が貼着される場合に、前記紙片に貼着される袋体の本の背寄りに位置する部分と、本の背との間の寸法が２０ｍｍ以上に設定されるように、前記不織布と共にＣＤが収納された扁平な袋体を、折り畳まれた段階の折り丁の紙片に予め貼着しておき、この折り丁を他の折り丁、表紙と共に、丁合機、中綴機、三方断裁機を含む中綴本の製本ラインで製本するようにしたことを特徴とする。」と訂正する。
　　訂正事項Ｊ
　明細書の段落番号【０００５】全文を、
「また、本発明は、前記本文を構成する紙片に前記袋体が貼着される場合に、前記紙片に貼着される袋体の本の小口寄りに位置する部分と、本の小口との間の寸法が３０ｍｍ以上に設定されるように、前記不織布と共にＣＤが収納された扁平な袋体を、折り畳まれた段階の折り丁の紙片に予め貼着しておくことを特徴とする。
　また、本発明は、前記本文を構成する紙片に前記袋体が貼着される場合に、前記紙片に貼着される袋体の本の天寄りに位置する部分と、本の天との間の寸法が３０ｍｍ以上に設定されるように、前記不織布と共にＣＤが収納された扁平な袋体を、折り畳まれた段階の折り丁の紙片に予め貼着しておくことを特徴とする。
　また、本発明は、前記本文を構成する紙片に前記袋体が貼着される場合に、前記紙片に貼着される袋体の本の地寄りに位置する部分と、本の地との間の寸法が３０ｍｍ以上に設定されるように、前記不織布と共にＣＤが収納された扁平な袋体を、折り畳まれた段階の折り丁の紙片に予め貼着しておくことを特徴とする。」　と訂正する。
　　訂正事項Ｋ
　明細書の段落番号【０００６】全文を、
「また、本発明は、前記袋体が、折り畳まれた段階の折り丁の最も外側に位置する紙片に貼着されることを特徴とする。
　また、本発明は、前記袋体が貼着される折り丁の紙片は、表紙に近い箇所に位置する紙片であることを特徴とする。
　また、本発明は、前記袋体が貼着される折り丁の紙片は、剛性の強い紙により構成されていることを特徴とする。
　また、本発明は、前記剛性の強い紙が、アート紙、またはコート紙、または上質紙であることを特徴とする。」と訂正する。
　　訂正事項Ｌ
　明細書の段落番号【０００７】から【００２０】において、「収納体」を、「袋体」と訂正する。
　　訂正事項Ｍ
　明細書の段落番号【０００７】において、「ＣＤが収納された」を、「不織布と共にＣＤが収納された」と訂正する。
　　訂正事項Ｎ
　明細書の【図面の簡単な説明】において、「収納体」を、「袋体」と訂正する。
　　訂正事項Ｏ
　明細書の【符号の説明】において、「収納体」を、「袋体」と訂正する。
　
2-2.訂正の目的の適否、新規事項の有無及び拡張・変更の存否
　上記訂正事項Ａは、特許請求の範囲の請求項１において、「ＣＤが収納された扁平な収納体」を「不織布と共にＣＤが収納された扁平な袋体」と訂正すると共に、「中綴本の製本ライン」を「丁合機、中綴機、三方断裁機を含む中綴本の製本ライン」と訂正して、構成を限定しようとするものであるから、特許請求の範囲の減縮を目的とするものである。
　上記訂正事項Ｂ〜Ｄは、特許請求の範囲の請求項２〜４において、「収納体」を「袋体」と訂正すると共に、「ＣＤが収納された扁平な収納体」を「不織布と共にＣＤが収納された扁平な袋体」と訂正して、構成を限定しようとするものであるから、特許請求の範囲の減縮を目的とするものである。
　上記訂正事項Ｅ〜Ｇは、特許請求の範囲の請求項５〜７において、「収納体」を「袋体」と訂正して、構成を限定しようとするものであるから、特許請求の範囲の減縮を目的とするものである。
　上記訂正事項Ｈは、特許請求の範囲の請求項９を削除するものであるから、特許請求の範囲の減縮を目的とするものである。
  上記訂正事項Ｉ〜Ｏは、上記訂正事項Ａ〜Ｈにより訂正された特許請求の範囲の記載と発明の詳細な説明及び図面の簡単な説明の記載の整合を図るものであり、明りようでない記載の釈明を目的とするものである。
　また、上記訂正事項Ａ〜Ｏは、願書に添付した明細書又は図面に記載した事項の範囲内の訂正であり、実質上特許請求の範囲を拡張し又は変更するものでもない。
　
2-3.むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
3-1.本件発明
　本件特許第３２１６６９０号の請求項１ないし８に係る発明は、訂正明細書の特許請求の範囲の請求項１ないし８に記載された次のとおりのものである。
「【請求項１】  複数の折り丁が表紙と共に背で綴じられて本文が構成され、ＣＤが収納されたＣＤ付き中綴本の製造方法であって、
　不織布と共にＣＤが収納された扁平な袋体を設け、
　前記本文を構成する紙片に前記袋体が貼着される場合に、前記紙片に貼着される袋体の本の背寄りに位置する部分と、本の背との間の寸法が２０ｍｍ以上に設定されるように、前記不織布と共にＣＤが収納された扁平な袋体を、折り畳まれた段階の折り丁の紙片に予め貼着しておき、
　この折り丁を他の折り丁、表紙と共に、丁合機、中綴機、三方断裁機を含む中綴本の製本ラインで製本するようにした、
　ことを特徴とするＣＤ付き中綴本の製造方法。（以下、「本件発明１」という。）
　【請求項２】　前記本文を構成する紙片に前記袋体が貼着される場合に、前記紙片に貼着される袋体の本の小口寄りに位置する部分と、本の小口との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。（以下、「本件発明２」という。）
　【請求項３】　前記本文を構成する紙片に前記袋体が貼着される場合に、前記紙片に貼着される袋体の本の天寄りに位置する部分と、本の天との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。（以下、「本件発明３」という。）
　【請求項４】　前記本文を構成する紙片に前記袋体が貼着される場合に、前記紙片に貼着される袋体の本の地寄りに位置する部分と、本の地との間の寸法が３０ｍｍ以上に設定されるように、前記不織布と共にＣＤが収納された扁平な袋体を、折り畳まれた段階の折り丁の紙片に予め貼着しておくことを特徴とする請求項１記載のＣＤ付き中綴本の製造方法。（以下、「本件発明４」という。）
　【請求項５】　前記袋体は、折り畳まれた段階の折り丁の最も外側に位置する紙片に貼着されることを特徴とする請求項１，２，３または４記載のＣＤ付き中綴本の製造方法。（以下、「本件発明５」という。）
　【請求項６】　前記袋体が貼着される折り丁の紙片は、表紙に近い箇所に位置する紙片であることを特徴とする請求項１，２，３，４または５記載のＣＤ付き中綴本の製造方法。（以下、「本件発明６」という。）
　【請求項７】　前記袋体が貼着される折り丁の紙片は、剛性の強い紙により構成されていることを特徴とする請求項１，２，３，４，５または６記載のＣＤ付き中綴本の製造方法。（以下、「本件発明７」という。）
　【請求項８】　前記剛性の強い紙は、アート紙、またはコート紙、または上質紙であることを特徴とする請求項７記載のＣＤ付き中綴本の製造方法。（以下 、「本件発明８」という。）」
　
3-2.引用刊行物に記載された発明
　当審で通知した取消の理由で引用した、刊行物１（特開平７−２５１８３号公報（異議申立人提出の甲第２号証））、刊行物２（特開平６−２１９０７９号公報（同上甲第１号証））及び刊行物３（特開平５−７７５８６号公報（同上甲第４号証））には、以下の事項が記載されている。
　
　　〔刊行物１〕特開平７−２５１８３号公報
（１−ａ）
「【０００１】【産業上の利用分野】本発明は、シート状物貼付装置に係り、特に葉書等を刷本の任意の箇所に貼り付けることが可能なシート状物貼付装置に関する。
【０００２】【従来の技術】例えば、週刊誌，雑誌等の中に葉書等のシート状物（貼込物）が刷本に貼り付けられている場合がある。」
（１−ｂ）
「【００２８】次に、第１実施例の動作を図６に基づいて説明する。図６に示すように、第１フィーダベルト１ａと第１搬送ベルト１ｂとが所定速度で回転され第１堰３とベルトとの隙間から折丁Ｓが一枚ずつ取り出され、第１送り爪搬送部４の第１滑送板５上に搬送載置される（ステップＳ１）。この第１滑送板５上の折丁Ｓは、送り爪搬送ベルト４ｄの回転に応じて送り爪（例えば、４ａ）に押されて位置決めされつつ搬送され（ステップＳ２）、センサ７で折丁Ｓの先端が検出されると、ＣＰＵ２５の制御の下に糊付部８から折丁Ｓの所定箇所に糊が付着される（ステップＳ３）。前記糊が付着された折丁Ｓは、第１サクション部６で搬送され合流部Ｇへ送られる。
【００２９】一方、第２フィーダベルト１５ａと第２搬送ベルト１５ｂとが所定速度で回転され第２堰１７とベルトとの隙間から葉書Ｈが一枚ずつ取り出され、第２送り爪搬送部１８の第２滑送板１９上に搬送載置される（ステップＳ１ａ）。この第２滑送板１９上の葉書Ｈは第２送り爪搬送ベルト１８ｄの回転に応じて送り爪（例えば、１８ａ）に押されてＸ，Ｙ軸方向に位置決めされつつ搬送される（ステップＳ２ａ）。そして、前記葉書Ｈは、第２サクション部２０で吸着されつつ搬送され合流部Ｇへ送られる（ステップＳ３ａ）。
【００３０】そして、ステップＳ５において糊付けされた折丁Ｓと葉書Ｈとが合流部Ｇで当接され（ステップＳ５）、更に搬送されて圧着ローラ９で圧着され（ステップＳ６）、葉書Ｇが貼り付けられた折丁Ｓがキッカ１２でさしみ状に積層される（ステップＳ７）。
【００３１】以上のようにすれば、図７に示すように、折丁Ｓと葉書Ｈをフィーダから取り出すタイミングおよび葉書ＨのＹ1 方向の位置（図７（Ａ）参照）を調整することにより、折丁Ｓの任意の位置に葉書Ｈを貼り付けることができる。
　　　　　　　　　　　　　　−中略−
【００３４】更に、図７（Ｃ）は横方向の葉書Ｈを折丁Ｓの中央に貼り付けた場合であり、」
（１−ｃ）
「【００４５】【発明の効果】以上説明したように本発明によれば、第１シート状物（折丁）と第２シート状物（葉書）の相互位置を調整して所望の箇所に糊付けした後に前記第１シート状物と第２シート状物とを合流させて圧着しているので、前記第１シート状物の所望の位置に第２シート状物を糊付けすることができる。」
（１−ｄ）
「葉書を、折り畳まれた段階の折丁の最も外側に位置する紙片に貼着する」点（図１、７、８、１２参照。）。
　
　上記（１−ａ）に記載の「週刊誌，雑誌等」は、通常、「複数の折丁が表紙と共に背で綴じられて本文が構成された中綴本」であること、また、
　上記（１−ｂ）の記載は、折丁の任意の位置に葉書等のシート状物（貼込物）を貼り付ける方法に関するものであり、折丁に葉書等のシート状物（貼込物）を貼り付ける工程は、週刊誌，雑誌等の中綴本の製造方法の一工程であるといえることから、
　上記（１−ａ）〜（１−ｃ）の記載からみて、
　刊行物１には、
「複数の折丁が表紙と共に背で綴じられて本文が構成された、葉書等のシート状物（貼込物）付き中綴本の製造方法であって、
　葉書等のシート状物（貼込物）を設け、
　前記本文を構成する紙片に前記葉書等のシート状物（貼込物）が貼着される場合に、前記葉書等のシート状物（貼込物）を、折り畳まれた段階の折丁の紙片の任意の位置に予め貼着しておく、
　葉書等のシート状物（貼込物）付き中綴本の製造方法。」の発明（以下、「刊行物１記載の発明」という。）が記載されていると認められる。
　
　　〔刊行物２〕特開平６−２１９０７９号公報
（２−ａ）
「【０００１】【産業上の利用分野】本発明は中綴じ本またはこれを針で綴じる直前の折帳の中開き方法及び装置に関し、特にコンパクトディスク、フロッピーディスク等の硬質の板状体を製本後の中綴じ本内に装着するための装置に関する。」
（２−ｂ）
「【０００４】【発明が解決しようとする課題】上記既存の技術を利用した場合、コンパクトディスク（ＣＤ）、フロッピーディスク（ＦＤ）等の硬質の板状体を中綴じ本の中央ページに貼り付けようとしても、これを行うことができない。・・・・・また上記後者の、製本前の折帳に当該物を貼り付ける技術を利用した場合には、当該物、即ちＣＤ、ＦＤ等の破損をもたらす。何故ならば、中綴じ本の製本作業にあっては、本となる印刷紙は幾度となくニップローラ間を通されたり、帳合用のチェーン上に落下されたりの動作を繰り返す。この為、製本作業中は、印刷紙には柔軟性や軽量性が必要となる。従って、もし印刷紙にＣＤ、ＦＤ等の硬質の板状体が貼り付けられていると、製本作業に支障を来すだけでなく、ＣＤ、ＦＤ等の破損を招くこととなる。」
（２−ｃ）
「【００２６】上述の装置により処理された中綴じ本Ａ４は、図５に示すような完成状態となる。ＣＤを収納した袋Ｐは、本Ａ４の中央ページの一方に貼着される。袋Ｐの貼着位置は、ストッパ３８或いはフィーダ４０の位置調整により適宜変更可能となる。図５中Ｓは、中綴じ本を閉じているステイプラーの針を示している。」
　
　　〔刊行物３〕特開平５−７７５８６号公報
（３−ａ）
「【０００１】【産業上の利用分野】本発明は、週刊誌やカタログなどの比較的ページ数の少ないとじ様式を行う中とじ機におけるフィーダに関するものである。
【０００２】【従来の技術】一般に中とじ機は、刷本を一部ずつギャザリングチェーン上の所定位置に落下させる複数のフィーダと、順次丁合された刷本を表紙とともに針金でとじる針金とじ機と、とじた刷本の天地と小口を一度に断裁して仕上げる三方断裁機とを連結した構成をしており、」　
　
3-3.対比・判断
・本件発明１について
　本件発明１と刊行物１記載の発明を対比すると、
　刊行物１記載の発明の「葉書等のシート状物（貼込物）」と、本件発明１の「不織布と共にＣＤが収納された扁平な袋体」は、いずれも「扁平な貼着物」ということができるから、
　両者は、
「複数の折り丁が表紙と共に背で綴じられて本文が構成された、扁平な貼着物付き中綴本の製造方法であって、
　扁平な貼着物を設け、
　前記本文を構成する紙片に前記扁平な貼着物が貼着される場合に、前記扁平な貼着物を、折り畳まれた段階の折り丁の紙片に予め貼着しておく、
　扁平な貼着物付き中綴本の製造方法。」である点で一致し、以下の点で相違する。
〈相違点〉
（１）本件発明１では、扁平な貼着物が「不織布と共にＣＤが収納された扁平な袋体」であり、「ＣＤが収納されたＣＤ付き中綴本の製造方法」であるのに対して、
　刊行物１記載の発明では、扁平な貼着物が「葉書等のシート状物（貼込物）」であり、「葉書等のシート状物（貼込物）付き中綴本の製造方法」である点。
（２）本件発明１では、不織布と共にＣＤが収納された扁平な袋体を貼着した「折り丁を他の折り丁、表紙と共に、丁合機、中綴機、三方断裁機を含む中綴本の製本ラインで製本するようにした」のに対して、
　刊行物１記載の発明では、どのような製本ラインで製本するのか不明である点。
（３）本件発明１では、本文を構成する「紙片に貼着される袋体の本の背寄りに位置する部分と、本の背との間の寸法が２０mm以上に設定される」のに対して、
　刊行物１記載の発明では、寸法が特定されていない点。
　上記相違点について検討する。
（ｉ）相違点（１）について
　刊行物２には、ＣＤが収納された袋を中綴本に貼着する点の記載（上記（２−ｃ）参照。）、及び、中綴本の製本前の折帳にＣＤを貼り付けるという着想の記載（上記（２−ｂ）参照。）がなされていること、また、
　収納される物を不織布で被覆することが周知である（例えば、実願平３−７６６０１号（実開平５−２９９８９号）のＣＤ−ＲＯＭ参照。）ことから、
　刊行物１記載の発明において、「葉書等のシート状物（貼込物）」に代えて「不織布と共にＣＤが収納された扁平な袋体」を採用し、「ＣＤが収納されたＣＤ付き中綴本の製造方法」としようとすることは、当業者であれば容易に想到し得ることである。
（ii）相違点（２）について
　上記（ｉ）で述べたように、刊行物１記載の発明において、「葉書等のシート状物（貼込物）」に代えて「不織布と共にＣＤが収納された扁平な袋体」を採用し、「ＣＤが収納されたＣＤ付き中綴本の製造方法」としようとすることは、当業者であれば容易に想到し得ることであり、
　複数の折り丁を表紙と共に、丁合機、中綴機、三方断裁機を含む中綴本の製本ラインで製本する技術は、周知である（例えば、上記刊行物３（段落番号【０００２】）参照。）から、　
　刊行物１記載の発明において、上記周知技術を組み合わせて、不織布と共にＣＤが収納された扁平な袋体が貼着された「折り丁を他の折り丁、表紙と共に、丁合機、中綴機、三方断裁機を含む中綴本の製本ラインで製本するようにし」ようとすることは、当業者であれば容易に想到し得ることといえる。
（iii）相違点（３）について
　不織布と共にＣＤが収納された扁平な袋体が貼着された折り丁を他の折り丁、表紙と共に、丁合機、中綴機、三方断裁機を含む中綴本の製本ラインで製本するにあたり、ＣＤが破損しないようにするには、不織布と共にＣＤが収納された扁平な袋体を、本文を構成する紙片のどの位置に貼着すればよいか、当業者であれば当然考慮すべき事項であるから、
　「紙片に貼着される袋体の本の背寄りに位置する部分と、本の背との間の寸法が２０mm以上に設定される」点は、当業者が容易になし得る設計的事項である。
　そして、本件発明１によって奏せられる効果は、刊行物１記載の発明、刊行物２記載の発明及び上記周知技術から予測可能なものである。
　
・本件発明２、３及び４について
　本件発明２における、本件発明１を限定する事項である「前記本文を構成する紙片に前記袋体が貼着される場合に、前記紙片に貼着される袋体の本の小口寄りに位置する部分と、本の小口との間の寸法が３０ｍｍ以上に設定されるように、前記不織布と共にＣＤが収納された扁平な袋体を、折り畳まれた段階の折り丁の紙片に予め貼着しておく」点、　
　本件発明３における、本件発明１を限定する事項である「前記本文を構成する紙片に前記袋体が貼着される場合に、前記紙片に貼着される袋体の本の天寄りに位置する部分と、本の天との間の寸法が３０ｍｍ以上に設定されるように、前記不織布と共にＣＤが収納された扁平な袋体を、折り畳まれた段階の折り丁の紙片に予め貼着しておく」点、及び、
　本件発明４における、本件発明１を限定する事項である「前記本文を構成する紙片に前記袋体が貼着される場合に、前記紙片に貼着される袋体の本の地寄りに位置する部分と、本の地との間の寸法が３０ｍｍ以上に設定されるように、前記不織布と共にＣＤが収納された扁平な袋体を、折り畳まれた段階の折り丁の紙片に予め貼着しておく」点について、検討する。
　上記「・本件発明１について」の（iii）で述べたように、不織布と共にＣＤが収納された扁平な袋体が貼着された折り丁を他の折り丁、表紙と共に、丁合機、中綴機、三方断裁機を含む中綴本の製本ラインで製本するにあたり、ＣＤが破損しないようにするには、不織布と共にＣＤが収納された扁平な袋体を、本文を構成する紙片のどの位置に貼着すればよいか、当業者であれば当然考慮すべき事項であるから、
　上記本件発明２ないし４のいずれの点も当業者が容易になし得る設計的事項である。
　そして、本件発明２、３及び４の各発明によって奏せられる効果は、刊行物１記載の発明、刊行物２記載の発明及び上記周知技術から予測可能なものである。
　
・本件発明５について
　本件発明５における、本件発明１，２，３または４を限定する事項である「前記袋体は、折り畳まれた段階の折り丁の最も外側に位置する紙片に貼着される」点は、
　上記刊行物１に、扁平な貼着物である葉書を、折り畳まれた段階の折り丁の最も外側に位置する紙片に貼着する点が記載されている（上記（１−ｄ）参照。）ことから、このような記載に基づいて当業者が容易になし得る設計的事項である。
　そして、本件発明５によって奏せられる効果は、刊行物１記載の発明、刊行物２記載の発明及び上記周知技術から予測可能なものである。
　
・本件発明６について
　本件発明６における、本件発明１，２，３，４または５を限定する事項である「前記袋体が貼着される折り丁の紙片は、表紙に近い箇所に位置する紙片である」点は、
　不織布と共にＣＤが収納された袋体が貼着される折り丁の紙片に、ＣＤの重量が掛かることを考慮すれば、折り丁の背を綴じる綴針金から脱落しにくい紙片に袋体を貼着した方がよいことは明らかであるから、当業者が容易になし得る設計的事項である。
　そして、本件発明６によって奏せられる効果は、刊行物１記載の発明、刊行物２記載の発明及び上記周知技術から予測可能なものである。
　
・本件発明７について
　本件発明７における、本件発明１，２，３，４，５または６を限定する事項である「前記袋体が貼着される折り丁の紙片は、剛性の強い紙により構成されている」点は、
　不織布と共にＣＤが収納された袋体が貼着される折り丁の紙片に、ＣＤの重量が掛かることを考慮すれば、紙片を選択するにあたり当業者が容易になし得る設計的事項である。
　そして、本件発明７によって奏せられる効果は、刊行物１記載の発明、刊行物２記載の発明及び上記周知技術から予測可能なものである。
　
・本件発明８について
　本件発明８における、本件発明７を限定する事項である「前記剛性の強い紙は、アート紙、またはコート紙、または上質紙である」点は、
　アート紙、またはコート紙、または上質紙が、本に用いられる紙の種類として周知のものであることから、紙片を選択するにあたり当業者が容易になし得る設計的事項である。
　そして、本件発明８によって奏せられる効果は、刊行物１記載の発明、刊行物２記載の発明及び上記周知技術から予測可能なものである。
　
　したがって、本件発明１ないし８は、刊行物１記載の発明、刊行物２記載の発明及び上記周知技術に基いて当業者が容易に発明をすることができたものであり、本件発明１ないし８の特許は、特許法第２９条第２項の規定に違反してなされたものである。
　
3-4.むすび
　以上のとおりであるから、本件発明１ないし８についての特許は、特許法第２９条第２項の規定に違反してなされたものであり、特許法第１１３条第２号に該当し、取り消されるべきものである。
　よって、結論のとおり決定する。
【異議決定日】
平成１５年２月１７日（２００３．２．１７）
【訂正の要旨】
訂正事項Ａ
　特許請求の範囲の請求項１の「複数の折り丁が表紙と共に背で綴じられて本文が構成され、ＣＤが収納されたＣＤ付き中綴本の製造方法であって、
　ＣＤが収納された扁平な収納体を設け、
　前記本文を構成する紙片に前記収納体が貼着される場合に、前記紙片に貼着される
袋
　この折り丁を他の折り丁、表紙と共に中綴本の製本ラインで製本するようにした、
　ことを特徴とするＣＤ付き中綴本の製造方法。」
を、
「複数の折り丁が表紙と共に背で綴じられて本文が構成され、ＣＤが収納されたＣＤ付き中綴本の製造方法であって、
　
不織布と共に
袋
　前記本文を構成する紙片に前記
袋
袋
不織布と共に
袋
　この折り丁を他の折り丁、表紙と共に
、丁合機、中綴機、三方断裁機を含む
　ことを特徴とするＣＤ付き中綴本の製造方法。」
と訂正する。
訂正事項Ｂ
　特許請求の範囲の請求項２の「前記本文を構成する紙片に前記収納体が貼着される場合に、前記紙片に貼着される収納体の本の小口寄りに位置する部分と、本の小口との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」
を、
「前記本文を構成する紙片に前記
袋体
袋体
不織布と共に
袋体
と訂正する。
訂正事項Ｃ
　特許請求の範囲の請求項３の「前記本文を構成する紙片に前記収納体が貼着される場合に、前記紙片に貼着される収納体の本の天寄りに位置する部分と、本の天との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」
を、
「前記本文を構成する紙片に前記
袋体
袋体
不織布と共に
袋体
と訂正する。
訂正事項Ｄ
　特許請求の範囲の請求項４の「前記本文を構成する紙片に前記収納体が貼着される場合に、前記紙片に貼着される収納体の本の地寄りに位置する部分と、本の地との間の寸法が３０ｍｍ以上に設定されるように、前記ＣＤが収納された扁平な収納体を、折り畳まれた段階の折り丁の紙片に予め貼着しておくことを特徴とする請求項１記載のＣＤ付き中綴本の製造方法。」
を、
「前記本文を構成する紙片に前記
袋体
袋体
不織布と共に
袋体
と訂正する。
訂正事項Ｅ
　特許請求の範囲の請求項５の「前記収納体は、折り畳まれた段階の折り丁の最も外側に位置する紙片に貼着されることを特徴とする請求項１，２，３または４記載のＣＤ付き中綴本の製造方法。」
を、
「前記
袋体
と訂正する。
訂正事項Ｆ
　特許請求の範囲の請求項６の「前記収納体が貼着される折り丁の紙片は、表紙に近い箇所に位置する紙片であることを特徴とする請求項１，２，３，４または５記載のＣＤ付き中綴本の製造方法。」
を、
「前記
袋体
と訂正する。
訂正事項Ｇ
　特許請求の範囲の請求項７の「前記収納体が貼着される折り丁の紙片は、剛性の強い紙により構成されていることを特徴とする請求項１，２，３，４，５または６記載のＣＤ付き中綴本の製造方法。」
を、
「前記
袋体
と訂正する。
訂正事項Ｈ
　特許請求の範囲の請求項９を削除する。
訂正事項Ｉ
　明細書の段落番号０００４の「【課題を解決するための手段】前記目的を達成するため本発明は、複数の折り丁が表紙と共に背で綴じられて本文が構成され、ＣＤが収納されたＣＤ付き中綴本の製造方法であって、ＣＤが収納された扁平な収納体を設け、前記本文を構成する紙片に前記収納体が貼着される場合に、前記紙片に貼着される収納体の本の背寄りに位置する部分と、本の背との間の寸法が２０ｍｍ以上に設定されるように、前記ＣＤが収納された扁平な収納体を、折り畳まれた段階の折り丁の紙片に予め貼着しておき、この折り丁を他の折り丁、表紙と共に中綴本の製本ラインで製本するようにしたことを特徴とする。」
を、
「　　【課題を解決するための手段】
　前記目的を達成するため本発明は、複数の折り丁が表紙と共に背で綴じられて本文が構成され、ＣＤが収納されたＣＤ付き中綴本の製造方法であって、
不織布と共に
袋体
袋体
袋体
不織布と共に
袋体
、丁合機、中綴機、三方断裁機を含む
と訂正する。
訂正事項Ｊ
　明細書の段落番号０００５の「また、本発明は、前記本文を構成する紙片に前記収納体が貼着される場合に、前記紙片に貼着される収納体の本の小口寄りに位置する部分と、本の小口との間の寸法が３０ｍｍ以上に設定されるように、前記ＣＤが収納された扁平な収納体を、折り畳まれた段階の折り丁の紙片に予め貼着しておくことを特徴とする。また、本発明は、前記本文を構成する紙片に前記収納体が貼着される場合に、前記紙片に貼着される収納体の本の天寄りに位置する部分と、本の天との間の寸法が３０ｍｍ以上に設定されるように、前記ＣＤが収納された扁平な収納体を、折り畳まれた段階の折り丁の紙片に予め貼着しておくことを特徴とする。また、本発明は、前記本文を構成する紙片に前記収納体が貼着される場合に、前記紙片に貼着される収納体の本の地寄りに位置する部分と、本の地との間の寸法が３０ｍｍ以上に設定されるように、前記ＣＤが収納された扁平な収納体を、折り畳まれた段階の折り丁の紙片に予め貼着しておくことを特徴とする。」
を、
「　また、本発明は、前記本文を構成する紙片に前記
袋体
袋体
不織布と共に
袋体
　また、本発明は、前記本文を構成する紙片に前記
袋体
袋体
不織布と共に
袋体
　また、本発明は、前記本文を構成する紙片に前記
袋体
袋体
不織布と共に
袋体
と訂正する。
訂正事項Ｋ
　明細書の段落番号０００６の「また、本発明は、前記収納体が、折り畳まれた段階の折り丁の最も外側に位置する紙片に貼着されることを特徴とする。また、本発明は、前記収納体が貼着される折り丁の紙片は、表紙に近い箇所に位置する紙片であることを特徴とする。また、本発明は、前記収納体が貼着される折り丁の紙片は、剛性の強い紙により構成されていることを特徴とする。また、本発明は、前記剛性の強い紙が、アート紙、またはコート紙、または上質紙であることを特徴とする。また、本発明は、前記収納体が袋により構成されていることを特徴とする。」
を、
「　また、本発明は、前記
袋体
　また、本発明は、前記
袋体
　また、本発明は、前記
袋体
　また、本発明は、前記剛性の強い紙が、アート紙、またはコート紙または上質紙であることを特徴とする。」
と訂正する。
訂正事項Ｌ
　明細書の段落番号０００７から００２０において、
「収納体」
を、
「袋体」
と訂正する。
訂正事項Ｍ
　明細書の図面の簡単な説明において、
「収納体」
を、
「袋体」
と訂正する。
訂正事項Ｎ
　明細書の符号の簡単な説明において、
「収納体」
を、
「袋体」
と訂正する。
（５４）【発明の名称】
ＣＤ付き中綴本の製造方法
（５７）【特許請求の範囲】
　【請求項１】　複数の折り丁が表紙と共に背で綴じられて本文が構成され、ＣＤが収納されたＣＤ付き中綴本の製造方法であって、
　
不織布と共に
袋
　前記本文を構成する紙片に前記
袋
袋
不織布と共に
袋
　この折り丁を他の折り丁、表紙と共に
、丁合機、中綴機、三方断裁機を含む
　ことを特徴とするＣＤ付き中綴本の製造方法。
　【請求項２】　前記本文を構成する紙片に前記
袋体
袋体
不織布と共に
袋体
　【請求項３】　前記本文を構成する紙片に前記
袋体
袋体
不織布と共に
袋体
　【請求項４】　前記本文を構成する紙片に前記
袋体
袋体
不織布と共に
袋体
　【請求項５】　前記
袋体
　【請求項６】　前記
袋体
　【請求項７】　前記
袋体
　【請求項８】　前記剛性の強い紙は、アート紙、またはコート紙、または上質紙であることを特徴とする請求項７記載のＣＤ付き中綴本の製造方法。
【発明の詳細な説明】
　【０００１】
　【産業上の利用分野】
　本発明は、複数の折り丁が表紙と共に背で綴じられて本文を構成する中綴本の製造方法に関し、更に詳細には、ＣＤ（コンパクトディスク）が収納されたＣＤ付き中綴本の製造方法に関する。
　【０００２】
　【従来の技術】
　従来、ＣＤを本に収納する構造は、例えば、実開平３−７８７９４号公報等において知られている。
　このような従来構造は、ＣＤ収納用の凹部を有し本文頁とほぼ同じ大きさのディスク収納体を設け、このディスク収納体を他の紙片と共に背で綴じ、本を構成するようにしている。
　【０００３】
　【発明が解決しようとする課題】
　しかしながら、このような従来構造では、週刊誌や月刊誌のように、複数の折り丁が表紙と共に背で綴じられる中綴本に適用しようとすると、中綴本の製本ラインとは別に、ディスク収納体を本に綴じるための特別の工程が必要となり、製本工程が複雑化し、コストが上昇する。
　本発明は前記事情に鑑み案出されたものであって、本発明の目的は、従来の中綴本の製本ラインによりコストを掛けることなく製本できるＣＤ付き中綴本の製造方法を提供することにある。
　【０００４】
　【課題を解決するための手段】
　前記目的を達成するため本発明は、複数の折り丁が表紙と共に背で綴じられて本文が構成され、ＣＤが収納されたＣＤ付き中綴本の製造方法であって、
不織布と共に
袋体
袋体
袋体
不織布と共に
袋体
、丁合機、中綴機、三方断裁機を含む
　【０００５】
　また、本発明は、前記本文を構成する紙片に前記
袋体
袋体
不織布と共に
袋体
　また、本発明は、前記本文を構成する紙片に前記
袋体
袋体
不織布と共に
袋体
　また、本発明は、前記本文を構成する紙片に前記
袋体
袋体
不織布と共に
袋体
　【０００６】
　また、本発明は、前記
袋体
　また、本発明は、前記
袋体
　また、本発明は、前記
袋体
　また、本発明は、前記剛性の強い紙が、アート紙、またはコート紙、または上質紙であることを特徴とする。
　【０００７】
　【作用】
　本発明によれば、
不織布と共に
袋体
　また、前記紙片に貼着される
袋体
袋体
袋体
袋体
　【０００８】
　また、
袋体
袋体
　また、中綴本では、複数の折り丁の背が綴針金により綴じられいる関係上、表紙に近い紙片ほど耐脱落強度が強く、内側に位置する紙片ほと耐脱落強度が弱い。従って、紙片に較べて重量が大きいＣＤが貼着される折り丁の紙片を、表紙に近い紙片としておくと、耐脱落性の点で有利となる。
　また、前記
袋体
　【０００９】
　【実施例】
　以下、本発明の実施例を添付図面に従って説明する。
　図１は本発明方法により得られたＣＤ付き本の斜視図を示す。
　ＣＤ付き本２は、多数の折り丁４が表紙６と共に背８０２で綴針金により綴じられて構成され、ＣＤ付き本２は、折り丁４で構成された本文１０と、この本文１０を覆う表表紙６０２及び裏表紙６０４とからなる。
　ＣＤ１２が収納された扁平な
袋体
　【００１０】
　前記
袋体
袋体
袋体
袋体
袋体
　【００１１】
　前記紙片１０２に貼着された
袋体
　また、
袋体
　また、
袋体
　また、
袋体
　【００１２】
　また、
袋体
　【００１３】
　次に、このような構成からなるＣＤ付き本２の製造方法について、その作用と共に説明する。
　まず、
袋体
袋体
　この
袋体
　例えば、用紙が図２（Ａ）に示すように４頁折り丁４の場合には、図２（Ｂ）に示すように折り畳まれ、最も外側の紙片１０２に
袋体
　また、用紙が図３（Ａ）に示すように８頁折り丁４の場合には、図３（Ｂ）に示すように折り畳まれ、最も外側の紙片１０２に
袋体
　また、用紙が図４（Ａ）に示すように１６頁折り丁４の場合には、図４（Ｂ）に示すように折り畳まれ、最も外側の紙片１０２に
袋体
　この場合、紙片１０２に対する
袋体
　【００１４】
　次に、
袋体
　図５乃至図９は丁合機の要部正面図を示す。
　２０は丁合機で、丁合機２０は、ホッパ２２、アッパーシリンダ２４、オープニングシリンダ２６、ラップシリンダ２８、ギャザリングチェーン３０等を備え、
袋体
　そして、丁合機２０の駆動により、アッパーシリンダ２４、オープニングシリンダ２６、ラップシリンダ２８が回転すると共に、ギャザリングチェーン３０が移動する。
　ホッパ２２に載せられた折り丁４は、サッカー３２が揺動してサッカー３２先端の吸盤３４により引き出され、アッパーシリンダ２４のアッパーシリンダ爪３６により折り丁４の背８０２が挟まれ、アッパーシリンダ２４の回転により折り丁４はアッパーシリンダ２４の胴部に巻きつくように回転移動される。
　この時、
袋体
　【００１５】
　そして、図６に示すように、アッパーシリンダ２４の回転に伴い折り丁４がアッパーシリンダ２４と共に回転移動し、図７に示すように、ほぼ１８０度程度アッパーシリンダ２４が回転した状態で、アッパーシリンダ爪３６による折り丁４の挟み込みが解除され、同時に、オープニングシリンダ爪３８とラップシリンダ爪４０とによりそれぞれ折り丁４の小口８０４側が挟み込まれる。
　そして、今度は、オープニングシリンダ爪３８とラップシリンダ爪４０とによる挟み込みによりオープニングシリンダ２６とラップシリンダ２８の回転に伴って折り丁４がアッパーシリンダ２４の胴部から抜き出され下方に移動する。
　やがて図８に示すように、オープニングシリンダ爪３８とラップシリンダ爪４０による挟み込みが解除され、図９に示すように、オープニングシリンダ２６とラップシリンダ２８の回転に伴って折り丁４は小口８０４側が開かれた状態でギャザリングチェーン３０上に落下し、このようにして多数の折り丁４がギャザリングチェーン３０上に開かれた状態で重ね合わされていく。
　【００１６】
　丁合機２０により折り丁４が重ね合わされ、最も外側に表紙６が重ねられたならば、次に、綴針金により背８０２が中綴され、最後に三方断裁がなされる。
　三方断裁では、本の天８０６側、地８０８側、小口８０４側がそれぞれまくらで押えられつつ天８０６、地８０８、小口８０４の断裁がなされるが、実施例では、
袋体
袋体
袋体
　【００１７】
　本実施例によれば、ＣＤ１２は本文１０を構成する紙片１０２に挟まれるので、
袋体
　また、
袋体
　【００１８】
　また、本実施例によれば、
袋体
　また、本実施例によれば、
袋体
袋体
袋体
　従って、従来の中綴本と同じ製本ラインを使って、詳細には、何ら設計変更を要せずに従来の丁合機２０、中綴機、三方断裁機を使ってＣＤ付き本２を得られ、従って、製本工程を複雑化することもなく、コストを掛けずにＣＤ付き本２を得られる。
　【００１９】
　また、本文１０は綴針金により綴じられており、表紙６に近い紙片１０２ほど耐脱落強度が強い。
　従って、紙片１０２に較べて重量が大きいＣＤ１２が貼着される紙片１０２を、表紙６に近い紙片１０２にしておくと、耐脱落性の点で有利となる。
　また、前記
袋体
袋体
袋体
　【００２０】
　【発明の効果】
　以上の説明で明らかなように本発明によれば、従来の中綴本の製本ラインによりコストを掛けることなくＣＤ付き本が得られる。
【図面の簡単な説明】
　【図１】
　ＣＤ付き本の斜視図である。
　【図２】
　（Ａ），（Ｂ）はそれぞれ
袋体
　【図３】
　（Ａ），（Ｂ）はそれぞれ
袋体
　【図４】
　（Ａ），（Ｂ）はそれぞれ
袋体
　【図５】
　丁合機の要部正面図である。
　【図６】
　丁合機の要部正面図である。
　【図７】
　丁合機の要部正面図である。
　【図８】
　丁合機の要部正面図である。
　【図９】
　丁合機の要部正面図である。
　【符号の説明】
　２　ＣＤ付き本
　４　折り丁
　６　表紙
　８０２　背
　８０４　小口
　８０６　天
　８０８　地
　１０　本文
　１２　ＣＤ
　１４　
袋体
　２０　丁合機
　２４　アッパーシリンダ
　２６　オープニングシリンダ
　２８　ラップシリンダ
　３０　ギャザリングチェーン